【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
タッチパネル型表示装置を備えた可搬型通信端末での画面表示制御システムであって，
前記画面表示制御システムは，
前記タッチパネル型表示装置で表示する画面の表示制御を行う画面表示制御部と，
前記画面表示制御部における表示制御された画面を前記タッチパネル型表示装置で表示する画面表示処理部と，を備えており，
前記画面表示制御部は，
所定のタイミングが経過するごとに，取得した検索結果における各ウェブサイトのウェブページ，または，表示対象とするウェブサイトにおける各ウェブページの表示制御をする，
ことを特徴とする画面表示制御システム。
【請求項２】
タッチパネル型表示装置を備えた可搬型通信端末での画面表示制御システムであって，
前記画面表示制御システムは，
前記タッチパネル型表示装置で表示する画面の表示制御を行う画面表示制御部と，
前記画面表示制御部における表示制御された画面を前記タッチパネル型表示装置で表示する画面表示処理部と，
前記可搬型通信端末に備えた傾き検出装置で検出した傾きの角度の情報に基づいて，傾きに応じた画面変更のタイミングを算出するタイミング算出部と，を備えており，
前記画面表示制御部は，
前記算出した画面変更のタイミングに基づいて，取得した検索結果における各ウェブサイトのウェブページ，または，表示対象とするウェブサイトにおける各ウェブページの表示制御をする，
ことを特徴とする画面表示制御システム。
【請求項３】
タッチパネル型表示装置を備えた可搬型通信端末での画面表示制御システムであって，
前記画面表示制御システムは，
前記タッチパネル型表示装置で表示する画面の表示制御を行う画面表示制御部と，
前記画面表示制御部における表示制御された画面を前記タッチパネル型表示装置で表示する画面表示処理部と，
前記可搬型通信端末に備えた動き検出装置で検出した情報に基づいて，あらかじめ記憶された動きのパターンと一致する動きを判定する動き判定部と，を備えており，
前記画面表示制御部は，
前記一致する動きを判定すると，取得した検索結果における各ウェブサイトのウェブページ，または，表示対象とするウェブサイトにおける各ウェブページの表示制御をする，
ことを特徴とする画面表示制御システム。
【請求項４】
前記画面表示制御システムは，さらに，
ウェブサイトにおけるトップページの情報のうち，あらかじめ定められた項目の情報を抽出することで，前記可搬型通信端末のタッチパネル型表示装置において一画面で表示可能な画面を生成する画面生成処理部，を備える，
ことを特徴とする請求項１から請求項３のいずれかに記載の画面表示制御システム。
【請求項５】
タッチパネル型表示装置を備えた可搬型通信端末での画面表示制御方法であって,
前記可搬型通信端末が,
サーバに対してウェブサイトの検索要求,または,ウェブサイトの取得要求を送り，前記サーバから検索要求に対応する検索結果,または,前記取得要求に対応するウェブサイトの所定ウェブページを取得するステップと,
前記取得した検索結果、又は前記取得したウェブサイトの所定ウェブページを前記タッチパネル型表示装置に表示するステップと,
所定のタイミングが経過するごとに，前記サーバから、前記取得した検索結果における各ウェブサイトのウェブページ，または，前記取得したウェブサイトの所定ウェブページ以外のウェブページを取得して前記タッチパネル型表示装置に表示するステップとを実行する,
ことを特徴とする画面表示制御方法。
【請求項６】
タッチパネル型表示装置及び傾き検出装置を備えた可搬型通信端末での画面表示制御方法であって,
前記可搬型通信端末が,
サーバに対してウェブサイトの検索要求,または,ウェブサイトの取得要求を送り，前記サーバから検索要求に対応する検索結果,または,前記取得要求に対応するウェブサイトの所定ウェブページを取得するステップと,
前記取得した検索結果、又は前記取得したウェブサイトの所定ウェブページを前記タッチパネル型表示装置に表示するステップと,
前記傾き検出装置で検出した傾きの角度の情報に基づいて，傾きに応じた画面変更のタイミングを算出するステップと,
前記算出した画面変更のタイミングに基づいて，前記サーバから、前記取得した検索結果における各ウェブサイトのウェブページ，または，前記取得したウェブサイトの所定ページ以外のウェブページを取得して前記タッチパネル型表示装置に表示するステップとを実行する,
ことを特徴とする画面表示制御方法。
【請求項７】
タッチパネル型表示装置及び動き検出装置を備えた可搬型通信端末での画面表示制御方法であって,
前記可搬型通信端末が,
サーバに対してウェブサイトの検索要求,または,ウェブサイトの取得要求を送り，前記サーバから検索要求に対応する検索結果,または,前記取得要求に対応するウェブサイトの所定ウェブページを取得するステップと,
前記取得した検索結果、又は前記取得したウェブサイトの所定ウェブページを前記タッチパネル型表示装置に表示するステップと,
前記動き検出装置で検出した情報に基づいて，あらかじめ記憶された動きのパターンと一致する動きを判定するステップと,
前記一致する動きを判定すると，前記サーバから、前記取得した検索結果における各ウェブサイトのウェブページ，または，前記取得したウェブサイトの所定ウェブページ以外のウェブページを取得して前記タッチパネル型表示装置に表示するステップとを実行する,
ことを特徴とする画面表示制御方法。
【請求項８】
タッチパネル型表示装置を備えたコンピュータを,
サーバに対してウェブサイトの検索要求,または,ウェブサイトの取得要求を送り，前記サーバから検索要求に対応する検索結果,または,前記取得要求に対応するウェブサイトの所定ウェブページを取得する手段,
前記取得した検索結果、又は前記取得したウェブサイトの所定ウェブページを前記タッチパネル型表示装置に表示する手段,及び
所定のタイミングが経過するごとに，前記サーバから、前記取得した検索結果における各ウェブサイトのウェブページ，または，前記取得したウェブサイトの所定ウェブページ以外のウェブページを取得して前記タッチパネル型表示装置に表示する手段,
として機能させる，
ことを特徴とするコンピュータプログラム。
【請求項９】
タッチパネル型表示装置及び傾き検出装置を備えたコンピュータを,
サーバに対してウェブサイトの検索要求,または,ウェブサイトの取得要求を送り，前記サーバから検索要求に対応する検索結果,または,前記取得要求に対応するウェブサイトの所定ウェブページを取得する手段,
前記取得した検索結果、又は前記取得したウェブサイトの所定ウェブページを前記タッチパネル型表示装置に表示する手段,
前記傾き検出装置で検出した傾きの角度の情報に基づいて，傾きに応じた画面変更のタイミングを算出する手段,及び
前記算出した画面変更のタイミングに基づいて，前記サーバから、前記取得した検索結果における各ウェブサイトのウェブページ，または，前記取得したウェブサイトの所定ウェブページ以外のウェブページを取得して前記タッチパネル型表示装置に表示する手段,
として機能させる，
ことを特徴とするコンピュータプログラム。
【請求項１０】
タッチパネル型表示装置及び動き検出装置を備えたコンピュータを,
サーバに対してウェブサイトの検索要求,または,ウェブサイトの取得要求を送り，前記サーバから検索要求に対応する検索結果,または,前記取得要求に対応するウェブサイトの所定ウェブページを取得する手段,
前記取得した検索結果、又は前記取得したウェブサイトの所定ウェブページを前記タッチパネル型表示装置に表示する手段,
前記動き検出装置で検出した情報に基づいて，あらかじめ記憶された動きのパターンと一致する動きを判定する手段,及び
前記一致する動きを判定すると，前記サーバから、前記取得した検索結果における各ウェブサイトのウェブページ，または，前記取得したウェブサイトの所定ウェブページ以外のウェブページを取得して前記タッチパネル型表示装置に表示する手段,
として機能させる，
ことを特徴とするコンピュータプログラム。
【手続補正２】
【補正対象書類名】明細書
【補正対象項目名】発明の名称
【補正方法】変更
【補正の内容】
【発明の名称】画面表示制御システム，画面表示制御方法及びコンピュータプログラム
【手続補正３】
【補正対象書類名】明細書
【補正対象項目名】００２６
【補正方法】変更
【補正の内容】
【００２６】
上述の発明において，前記画面表示制御システムは，さらに，ウェブサイトにおけるトップページの情報のうち，あらかじめ定められた項目の情報を抽出することで，前記可搬型通信端末のタッチパネル型表示装置において一画面で表示可能な画面を生成する画面生成処理部，を備える，画面表示制御システムである。
このように構成することで，あらかじめ，本発明の自動閲覧機能を実現するための画面表示制御システム用の画面を作成しておかなくても，自動的に最適な画面を表示させることができる。
【手続補正４】
【補正対象書類名】明細書
【補正対象項目名】００２７
【補正方法】変更
【補正の内容】
【００２７】
また、第４の発明は，タッチパネル型表示装置を備えた可搬型通信端末での画面表示制御方法であって,前記可搬型通信端末が,サーバに対してウェブサイトの検索要求,または,ウェブサイトの取得要求を送り，前記サーバから検索要求に対応する検索結果,または,前記取得要求に対応するウェブサイトの所定ウェブページを取得するステップと,前記取得した検索結果、又は前記取得したウェブサイトの所定ウェブページを前記タッチパネル型表示装置に表示するステップと,所定のタイミングが経過するごとに，前記サーバから、前記取得した検索結果における各ウェブサイトのウェブページ，または，前記取得したウェブサイトの所定ウェブページ以外のウェブページを取得して前記タッチパネル型表示装置に表示するステップとを実行する,画面表示制御方法である。
また、第５の発明は,タッチパネル型表示装置及び傾き検出装置を備えた可搬型通信端末での画面表示制御方法であって,前記可搬型通信端末が,サーバに対してウェブサイトの検索要求,または,ウェブサイトの取得要求を送り，前記サーバから検索要求に対応する検索結果,または,前記取得要求に対応するウェブサイトの所定ウェブページを取得するステップと,前記取得した検索結果、又は前記取得したウェブサイトの所定ウェブページを前記タッチパネル型表示装置に表示するステップと,前記傾き検出装置で検出した傾きの角度の情報に基づいて，傾きに応じた画面変更のタイミングを算出するステップと,前記算出した画面変更のタイミングに基づいて，前記サーバから、前記取得した検索結果における各ウェブサイトのウェブページ，または，前記取得したウェブサイトの所定ページ以外のウェブページを取得して前記タッチパネル型表示装置に表示するステップとを実行する,画面表示制御方法である。
また、第６の発明は,タッチパネル型表示装置及び動き検出装置を備えた可搬型通信端末での画面表示制御方法であって,前記可搬型通信端末が,サーバに対してウェブサイトの検索要求,または,ウェブサイトの取得要求を送り，前記サーバから検索要求に対応する検索結果,または,前記取得要求に対応するウェブサイトの所定ウェブページを取得するステップと,前記取得した検索結果、又は前記取得したウェブサイトの所定ウェブページを前記タッチパネル型表示装置に表示するステップと,前記動き検出装置で検出した情報に基づいて，あらかじめ記憶された動きのパターンと一致する動きを判定するステップと,前記一致する動きを判定すると，前記サーバから、前記取得した検索結果における各ウェブサイトのウェブページ，または，前記取得したウェブサイトの所定ウェブページ以外のウェブページを取得して前記タッチパネル型表示装置に表示するステップとを実行する,画面表示制御方法である。
また、第７の発明は,タッチパネル型表示装置を備えたコンピュータを,サーバに対してウェブサイトの検索要求,または,ウェブサイトの取得要求を送り，前記サーバから検索要求に対応する検索結果,または,前記取得要求に対応するウェブサイトの所定ウェブページを取得する手段,前記取得した検索結果、又は前記取得したウェブサイトの所定ウェブページを前記タッチパネル型表示装置に表示する手段,及び所定のタイミングが経過するごとに，前記サーバから、前記取得した検索結果における各ウェブサイトのウェブページ，または，前記取得したウェブサイトの所定ウェブページ以外のウェブページを取得して前記タッチパネル型表示装置に表示する手段,として機能させる，コンピュータプログラムである。
また、第８の発明は,タッチパネル型表示装置及び傾き検出装置を備えたコンピュータを,サーバに対してウェブサイトの検索要求,または,ウェブサイトの取得要求を送り，前記サーバから検索要求に対応する検索結果,または,前記取得要求に対応するウェブサイトの所定ウェブページを取得する手段,前記取得した検索結果、又は前記取得したウェブサイトの所定ウェブページを前記タッチパネル型表示装置に表示する手段,前記傾き検出装置で検出した傾きの角度の情報に基づいて，傾きに応じた画面変更のタイミングを算出する手段,及び前記算出した画面変更のタイミングに基づいて，前記サーバから、前記取得した検索結果における各ウェブサイトのウェブページ，または，前記取得したウェブサイトの所定ウェブページ以外のウェブページを取得して前記タッチパネル型表示装置に表示する手段,として機能させる，コンピュータプログラムである。
また、第９の発明は,タッチパネル型表示装置及び動き検出装置を備えたコンピュータを,サーバに対してウェブサイトの検索要求,または,ウェブサイトの取得要求を送り，前記サーバから検索要求に対応する検索結果,または,前記取得要求に対応するウェブサイトの所定ウェブページを取得する手段,前記取得した検索結果、又は前記取得したウェブサイトの所定ウェブページを前記タッチパネル型表示装置に表示する手段,前記動き検出装置で検出した情報に基づいて，あらかじめ記憶された動きのパターンと一致する動きを判定する手段,及び前記一致する動きを判定すると，前記サーバから、前記取得した検索結果における各ウェブサイトのウェブページ，または，前記取得したウェブサイトの所定ウェブページ以外のウェブページを取得して前記タッチパネル型表示装置に表示する手段,として機能させる，コンピュータプログラムである。